(57)【要約】【課題】外部機器とのＵＳＢ接続を容易かつ確実にユーザが行えるようにする。する。【解決手段】ステップＳＴ１で外部機器が接続されたことを判別したときは、ステップＳＴ４で外部機器からデバイス情報を読み出し、ステップＳＴ５でクラス確認を行う。イメージクラスであって予め設定されたベンダーＩＤと等しいときは、クラスを予め指定されているクラスとするクラス切換を行わせるために、ステップＳＴ１０で設定切換指示表示を行う。ベンダー独自クラスに設定されているときは、クラスを予め指定されているクラスとするクラス切換を行わせるために、ステップＳＴ１３で設定確認指示表示を行う。外部機器の設定が最適な状態でないときメッセージ表示が行われるので、外部機器を最適な状態に設定してＵＳＢ接続が可能となる。【選択図】        図２
2008282160.tif 000002
【特許請求の範囲】
【請求項１】
外部機器とＵＳＢ(Universal Serial Bus)接続される画像表示装置において、
前記ＵＳＢ接続された外部機器から読み出したデバイス情報に基づいて表示制御を行う制御部を有し、
前記制御部は、前記外部機器がクラス切換可能であって設定されているクラスが予め指定されているクラスと異なることを前記デバイス情報に基づいて判別したとき、前記外部機器を予め指定されているクラスとするクラス切換を行わせるためのメッセージ表示を行う
ことを特徴とする画像表示装置。
【請求項２】
前記制御部は、前記デバイス情報で示されたベンダーＩＤが、クラス切換可能な外部機器のベンダーとして予め設定されているベンダーのＩＤと一致するとき、前記外部機器はクラス切換可能であるとする
ことを特徴とする請求項１記載の画像表示装置。
【請求項３】
前記制御部は、前記デバイス情報で示されたクラスがベンダー独自クラスに設定されているとき、前記外部機器はクラス切換可能であるとする
ことを特徴とする請求項１記載の画像表示装置。
【請求項４】
前記制御部は、マスストレージクラス又はマスストレージクラスとイメージクラスを前記予め指定されているクラスとする
ことを特徴とする請求項１記載の画像表示装置。
【請求項５】
前記制御部は、前記外部機器がクラス切換可能とされておらず、前記外部機器で設定されているクラスが予め指定されているクラスと異なるとき、前記外部機器は対応しない機器であることを示すメッセージ表示を行う
ことを特徴とする請求項１記載の画像表示装置。
【請求項６】
外部機器とＵＳＢ(Universal Serial Bus)接続される画像表示装置の画像表示方法において、
前記外部機器からデバイス情報を読み出すステップと、
前記外部機器がクラス切換可能であって設定されているクラスが予め指定されているクラスと異なることを前記デバイス情報に基づいて判別したときに、前記外部機器を予め指定されているクラスとするクラス切換を行わせるためのメッセージ表示を行うステップを設けた
ことを特徴とする画像表示方法。
【発明の詳細な説明】
【技術分野】
【０００１】
この発明は画像表示装置と画像表示方法に関する。詳しくは、画像表示装置に接続された外部機器が、ＵＳＢ接続に対応していない機器と判別されたときに、接続された外部機器に応じたメッセージ表示を行うことで、ＵＳＢ接続を行いやすくするものである。
【背景技術】
【０００２】
近年、パーソナルコンピュータと外部装置との接続でＵＳＢ(Universal Serial Bus)接続が普及している。ＵＳＢ接続が可能な外部装置としては、映像機器，音声機器，メモリ機器，入出力機器，通信機器など種々の機器が提供されている。また、ＵＳＢ規格ではデバイスクラスやインタフェースクラスとして複数のクラスが規定されており、ＵＳＢ接続が可能な外部機器が保持しているデバイス情報でクラスを指定することで、外部機器が映像機器や音声機器などのいずれであるか識別可能とされている。
【０００３】
また、ＵＳＢ接続の普及に伴い、パーソナルコンピュータと外部装置の接続だけでなく、画像表示装置例えばテレビジョン装置とディジタルカメラやメモリ装置等をＵＳＢ接続して、これらの機器に蓄積されている映像データをテレビジョン装置で読み出して画面上に表示させることも行われている。
【０００４】
このようにＵＳＢ接続を行う場合、特許文献１に記載されているように、ホスト機器とポータブル機器との間の一連のシーケンスによって、ホスト機器でポータブル機器のデバイス情報を取得して、どのような機器が接続されたか検出することが行われている。
【０００５】
【特許文献１】特開２００５−１３０１６８号公報
【発明の開示】
【発明が解決しようとする課題】
【０００６】
ところで、画像表示装置にＵＳＢインタフェースを設けて外部機器を接続した場合、画像表示装置は、接続された外部機器から取得したデバイス情報に基づきＵＳＢ接続が可能な外部機器であると判別したとき、ＵＳＢ接続が可能な外部機器が接続されていることを示す例えばアイコン（以下「機器接続アイコン」という）を画面上に設ける表示することが行われている。また、ＵＳＢ接続が可能な外部機器では、クラス切換が可能な機器も提供されている。ここで、外部機器が画像表示装置で対応することのできないクラスに設定されている場合、この外部機器が画像表示装置で対応可能なクラスに切換可能であっても、ＵＳＢ接続が可能な機器と識別されることがなく、画面上に機器接続アイコン等が表示されない。したがって、接続した外部機器は画像表示装置に対応していない機器であるとユーザに判断されてしまい、この外部機器に蓄積されている映像データを読み出して画像表示装置の画面上に蓄積されていた画像を表示できなくなってしまう。
【０００７】
そこで、この発明では、外部機器とのＵＳＢ接続を容易かつ確実にユーザが行えるようにする画像表示装置と画像表示方法を提供するものである。
【課題を解決するための手段】
【０００８】
この発明の概念は、画像表示装置に外部機器をＵＳＢ接続したとき、接続した外部機器が予め指定されているクラスと異なるとき、該外部機器を予め指定されているクラスでＵＳＢ接続できるようにユーザ操作を促すメッセージ表示を行うことにある。
【０００９】
この発明の画像表示装置は、外部機器とＵＳＢ(Universal Serial Bus)接続される画像表示装置において、前記ＵＳＢ接続された外部機器から読み出したデバイス情報に基づいて表示制御を行う制御部を有し、前記制御部は、前記外部機器がクラス切換可能であって設定されているクラスが予め指定されているクラスと異なることを前記デバイス情報に基づいて判別したとき、前記外部機器のクラス切換を行わせるためのメッセージ表示を行うものである。
【００１０】
また、この発明の画像表示装置は、外部機器とＵＳＢ(Universal Serial Bus)接続される画像表示装置の画像表示方法において、前記外部機器からデバイス情報を読み出すステップと、前記外部機器がクラス切換可能であって設定されているクラスが予め指定されているクラスと異なることを前記デバイス情報に基づいて判別したときに、前記外部機器のクラス切換を行わせるためのメッセージ表示を行うステップを設けたものである。
【発明の効果】
【００１１】
この発明によれば、外部機器がクラス切換可能であって設定されているクラスが予め指定されているクラスと異なることを判別したとき、外部機器を予め指定されているクラスとするクラス切換を行わせるためのメッセージ表示が行われる。このように、外部機器のクラスが画像表示装置に対応したクラスに設定されていないときはメッセージ表示が行われるので、クラス切換によって画像表示装置とのＵＳＢ接続が可能な外部機器が、ＵＳＢ接続できない機器と判別されてしまうことを防止できる。
【発明を実施するための最良の形態】
【００１２】
以下、図を参照しながら、この発明の実施の一形態について説明する。図１は、画像表示装置例えばテレビジョン装置の構成を示している。また、このテレビジョン装置には、ＵＳＢ(Universal Serial Bus)接続が可能な外部機器を接続する機能が設けられている。なお、画像表示装置は、選局機能や音声出力機能を有していないモニタ装置等であってもよい。
【００１３】
図１において、テレビジョン装置１０の衛星放送用アンテナ１１は、ＢＳディジタル衛星放送やＣＳディジタル衛星放送を受信するアンテナであり、衛星放送用アンテナ１１で得られた受信信号ＲＦ1は衛星放送用選局／復調部１２に供給される。衛星放送用選局／復調部１２は、所望のチャネル（周波数）の選局を行い、得られた中間周波信号をディジタル復調する。さらにディジタル復調により得られたトランスポートストリームＴＳ1をデマルチプレクサ２１に供給する。このディジタル復調では衛星放送で用いられている変調方式に対応した復調処理例えばＱＰＳＫ復調処理等を行う。なお、衛星放送用選局／復調部１２の動作は、後述する制御部５１からの制御信号ＣＴによって制御される。
【００１４】
地上放送用アンテナ１３は、地上放送を受信するアンテナであり、地上放送用アンテナ１３で得られた受信信号ＲＦ2は地上放送用選局／復調部１４に供給される。地上放送用選局／復調部１４は、所望のチャネルの選局を行い、得られた中間周波信号の復調処理を行う。ここで、地上放送用選局／復調部１４は、地上アナログ放送を受信しているとき、中間周波信号のアナログ復調処理を行い、得られた映像信号をディジタルの映像信号ＶＳbに変換して映像切換部３１に供給し、得られた音声信号ＡＳbを音声切換部４１に供給する。また、地上放送用選局／復調部１４は、地上ディジタル放送を受信しているとき、中間周波信号のディジタル復調を行い、得られたトランスポートストリームＴＳ2をデマルチプレクサ２１に供給する。このディジタル復調では、地上ディジタル放送で用いられている変調方式に対応した復調処理例えばＱＦＤＭ復調処理等を行う。なお、地上放送用選局／復調部１４の動作も、後述する制御部５１からの制御信号ＣＴによって制御される。
【００１５】
デマルチプレクサ２１は、ディジタル衛星放送を受信するときトランスポートストリームＴＳ1を選択して、地上ディジタル放送を受信するときトランスポートストリームＴＳ2を選択する。さらに、デマルチプレクサ２１は、選択したトランスポートストリームに時分割的に多重して含まれている映像データＤＴv、音声データＤＴa、放送データＤＴdなどを分離して、映像データＤＴvおよび音声データＤＴaをデコーダ部２２に供給し、放送データＤＴdを制御部５１に供給する。
【００１６】
デコーダ部２２は、映像データＤＴvの復号処理を行い、復号処理を行うことにより得られた映像信号ＶＳaを映像切換部３１に供給する。また、デコーダ部２２は、音声データＤＴaの復号処理を行い、復号処理を行うことにより得られた音声信号ＡＳaを音声切換部４１に供給する。
【００１７】
映像切換部３１には、外部入力端子２３が接続されており、この外部入力端子２３を介して外部機器からコンポジット方式やコンポーネント方式、ＨＤＭＩ(High Definition Multimedia Interface)方式、ＤＶＩ(Digital Visual Interface)方式等の映像信号の入力を行うことができるようになされている。また、映像切換部３１には信号処理部３２が接続されており、信号処理部３２に供給する映像信号を、デコーダ部２２から供給された映像信号ＶＳa、地上放送用選局／復調部１４からの映像信号ＶＳb、外部入力端子２３を介して供給された映像信号ＶＳc、あるいは後述するようにＵＳＢ機器から読み出された映像データＶＳusbのいずれかに切り換える。また、映像切換部３１は、異なる方式で映像信号が供給されたとき方式変換処理を行い、信号処理部３２に供給する映像信号ＶＳdとして、例えば輝度信号と色差信号を供給する。
【００１８】
信号処理部３２は、映像切換部３１から供給された映像信号ＶＳdに対して、輪郭強調処理やノイズ除去処理，色補正処理等の種々の信号処理を行い、信号処理後の映像信号ＶＳeを例えば三原色信号として合成処理部３４に供給する。
【００１９】
信号生成部３３は、制御部５１からの制御信号ＣＴに基づき、オンスクリーン表示用映像信号ＶＳoscを生成して合成処理部３４に供給する。例えば、信号生成部３３は、制御部５１からの制御信号ＣＴに基づき、ＥＰＧ表示やチャネル表示，メニュー画面表示，種々の設定を行うための設定画面表示等を行うためのオンスクリーン表示用映像信号ＶＳoscを生成して合成処理部３４に供給する。
【００２０】
合成処理部３４は、信号処理部３２から供給された映像信号ＶＳeに信号生成部３３から供給されたオンスクリーン表示用映像信号ＶＳoscを合成して、映像出力信号ＶＳgとして映像出力処理部３５に供給する。また、合成処理部３４は、映像信号ＶＳeにオンスクリーン表示用映像信号ＶＳoscを合成するとき、いわゆるアルファブレンド処理を行い、映像出力信号ＶＳgにおける映像信号ＶＳeとオンスクリーン表示用映像信号ＶＳoscの合成比を可変できるようにする。
【００２１】
映像出力処理部３５には、例えばＬＣＤ（Liquid Crystal Display），ＰＤＰ（Plasma Display Panel），ＥＬ(Electro Luminescence)，陰極線管などの表示デバイスを用いて構成された表示部３６が接続されている。映像出力処理部３５は、映像出力信号ＶＳgに基づき、表示デバイスを駆動するための表示駆動信号ＤＲvを生成して表示部３６に供給する。このため表示部３６で映像表示を行うことができる。また、映像出力処理部３５は、外部機器（図示せず）に映像信号を供給するとき、映像出力信号ＶＳgを外部機器に対応したフォーマットの出力信号Ｖoutとして出力する。
【００２２】
音声切換部４１には、外部入力端子２３が接続されており、この外部入力端子２３を介して外部機器から音声信号ＡＳcの入力を行うことができるようになされている。また、音声切換部４１には音声出力処理部４２が接続されており、音声出力処理部４２に供給する音声信号ＡＳdを、デコーダ部２２から供給された音声信号ＡＳa、地上放送用選局／復調部１４からの音声信号ＡＳb、外部入力端子２３を介して供給された音声信号ＡＳcのいずれかに切り換える。
【００２３】
音声出力処理部４２には、スピーカを用いて構成された音声出力部４３が接続されている。音声出力処理部４２は、音声切換部４１から供給された音声信号ＡＳdを用いて音声処理例えば信号レベル調整や音質調整、ノイズ除去処理等を行い、音声処理後の音声出力信号ＤＲaを音声出力部４３に供給して音声出力を行う。また、音声出力処理部４２は、外部機器（図示せず）に音声信号を供給するとき、音声処理後の信号を外部機器に対応したフォーマットの出力信号Ａoutとして出力する。
【００２４】
制御部５１にはユーザインタフェース部５２が接続されている。ユーザインタフェース部５２はユーザ操作に応じた操作信号ＰＳを制御部５１に供給するものであり、例えば操作キーやリモートコントロール信号受信部等で構成されている。
【００２５】
制御部５１は、バス５４を介して上述の各部と接続されている。制御部５１は、ユーザインタフェース部５２からの操作信号ＰＳに基づき、制御信号ＣＴを生成して各部に供給することで、テレビジョン装置１０の動作がユーザ操作に応じた動作となるように制御する。例えば、ユーザインタフェース部５２から供給された操作信号ＰＳによって、チャネル切換や放送切換又は入力切換等の信号切換操作が行われたことが示されたとき、制御部５１は、所望のチャネルや所望の放送方式の映像／音声又は外部から供給された映像／音声の提示等を行うことができるように、衛星放送用選局／復調部１２や地上放送用選局／復調部１４の選局動作や、デマルチプレクサ２１や映像切換部３１および音声切換部４１の切換動作等を制御する。また、制御部５１は、デマルチプレクサ２１から供給された放送データＤＴdに基づき、例えばＥＰＧ(Electric Program Guide)表示等を行うための制御信号を生成して信号生成部３３に供給する。
【００２６】
また、バス５４にはＵＳＢインタフェース部５３が接続されている。ＵＳＢインタフェース部５３は、接続された外部機器とシリアル通信を行うＵＳＢトランシーバ、ＵＳＢプロトコルに対応した通信制御処理等を行うシリアルインタフェースエンジン(SIE)等で構成されている。
【００２７】
制御部５１は、ＵＳＢインタフェース部５３との通信を行い、ＵＳＢインタフェース部５３に外部機器が接続されたことを検出したとき、コンフィグレーションを行い、接続された外部機器のアドレス設定や外部機器が保持している種々の情報を読み出す。さらに、制御部５１は、読み出した情報に基づき外部機器が画像表示装置（テレビジョン装置）で対応可能なＵＳＢ機器であることを判別したとき、このＵＳＢ機器と通信を行い、例えばＵＳＢ機器から映像データＶＳusbを読み出して映像切換部３１に供給して、ＵＳＢ機器に蓄積されている映像を表示部３６に表示させる。
【００２８】
次に、外部機器が接続されたときの動作について図２のフローチャートを用いて説明する。ステップＳＴ１で制御部５１は、外部機器が接続されたか否かを判別する。制御部５１は、外部機器が接続されたことを検出したときステップＳＴ２に進む。また、制御部５１は、外部機器が接続されたことを検出していないときステップＳＴ１に戻る。なお、外部機器が接続されたか否かの判別は、ＵＳＢインタフェース部５３に設けられたＵＳＢコネクタのＤ＋端子あるいはＤ−端子の電圧レベルが、所定電圧レベルとなったか否かに基づいて行うことができる。
【００２９】
ステップＳＴ２で制御部５１は、外部機器のリセット処理を行う。制御部５１は、リセット信号を外部機器に供給して、外部機器を初期状態とする。なお、外部機器は、初期状態とされたとき、制御部５１との通信が可能な状態となる。
【００３０】
ステップＳＴ３で制御部５１は接続処理表示を行い、接続された外部機器が画像表示装置で対応可能なＵＳＢ機器であるか否かの判別処理中であることを識別可能とする。
【００３１】
図３は、表示部３６に表示された表示画面を示している。図３の（Ａ）は、メニュー画面ＧＭを示しており、メニュー画面ＧＭでは、画像や音声等の種々の設定を行うための設定アイコンＰＩ1、ＵＳＢ機器に蓄積されている静止画の再生等を行うためのフォトアイコンＰＩ2、ＵＳＢ機器に蓄積されている音楽の再生等を行うためのミュージックアイコンＰＩ3、ＵＳＢ機器に蓄積されている動画像の再生等を行うためのビデオアイコンＰＩ4、地上アナログ放送や地上ディジタル放送を視聴するための地上放送アイコンＰＩ5、ＢＳディジタル衛星放送を視聴するためのＢＳ放送アイコンＰＩ6、ＣＳディジタル衛星放送を視聴するためのＣＳ放送アイコンＰＩ7等が表示される。ここで、表示されているアイコンを選択したときには、選択されたアイコンの表示サイズや表示色、表示輝度等を変更して、選択されたアイコンの識別を容易とする。例えば、フォトアイコンＰＩ2が選択されたときには、図３の（Ｂ）に示すように、フォトアイコンＰＩ2を他のアイコンよりも大きく表示することで、フォトアイコンＰＩ2が選択されていることが容易に識別可能となる。
【００３２】
制御部５１は接続処理表示として、例えば図３の（Ｂ）に示すように、外部機器が画像表示装置で対応可能なＵＳＢ機器であるか否かの判別処理中であることを識別可能とするためメッセージ表示ＰＭ1を行ってステップＳＴ４に進む。
【００３３】
ステップＳＴ４で制御部５１は、デバイス情報の読み出しを行う。制御部５１は、外部機器との通信を行い、接続された外部機器にアドレスを設定する。さらに、設定したアドレスを送信先としてリクエストコードの送信を行う。リクエストコードが供給された外部機器は、リクエストコードによって要求されたデバイス情報を制御部５１に送信する。例えば制御部５１は、リクエストコードとして「GET DESCRIPTOR」を送信して、外部機器から「DEVICE DESCRIPTOR」「CONFIGURATION DESCRIPTOR」「INTERFACE DESCRIPTOR」等を読み出してステップＳＴ５に進む。
【００３４】
図４は「DEVICE DESCRIPTOR」を示しており、この「DEVICE DESCRIPTOR」は、対応しているＵＳＢスペックのバージョン、デバイスクラス、デバイスサブクラス、プロトコル、ベンダーＩＤ、製品ＩＤ、デバイスのリリース番号、製造元や製品およびデバイスのシリアル番号を示すインデックス等の情報で構成されている。また、図５は「INTERFACE DESCRIPTOR」を示しており、この「INTERFACE DESCRIPTOR」は、インタフェースを選択するためのインタフェース番号、インタフェースクラス、サブクラス、プロトコル等の情報で構成されている。
【００３５】
ステップＳＴ５で制御部５１は、クラス確認を行う。制御部５１は、「DEVICE DESCRIPTOR」と「INTERFACE DESCRIPTOR」に基づき、接続された外部機器のクラスを確認してステップＳＴ６に進む。
【００３６】
図６はクラス仕様とクラスコードを示しており、クラス仕様としてオーディオインタフェースクラス、コミュニケーションデバイスクラス、ヒューマンインタフェースデバイス(ＨＩＤ)クラス、イメージ(ＳＩＣＤ:Still Image Capture Device)クラス、プリンタクラス、マスストレージクラス等が設けられている。
【００３７】
オーディオインタフェースクラスでは、デバイスクラスコードが「００ｈ(ｈは１６進数であることを示す)」でインタフェースクラスコードが「０１ｈ」に規定されている。コミュニケーションデバイスクラスでは、デバイスクラスコードが「０２ｈ」に規定されている。ヒューマンインタフェースデバイス(ＨＩＤ)クラスでは、デバイスクラスコードが「００ｈ」でインタフェースクラスコードが「０３ｈ」に規定されている。イメージ(ＳＩＣＤ)クラスでは、デバイスクラスコードが「００ｈ」でインタフェースクラスコードが「０６ｈ」に規定されている。プリンタクラスでは、デバイスクラスコードが「００ｈ」でインタフェースクラスコードが「０７ｈ」に規定されている。マスストレージクラスでは、デバイスクラスコードが「００ｈ」でインタフェースクラスコードが「０８ｈ」に規定されている。また、クラスコードが「ＦＦｈ」であるときは、ベンダー独自クラスであることを示している。
【００３８】
ステップＳＴ６で制御部５１は、外部機器がマスストレージクラスであるか否かを判別する。ここで、ステップＳＴ５で確認したクラスがマスストレージクラスであるとき、すなわちデバイスクラスコードが「００ｈ」でインタフェースクラスコードが「０８ｈ」であるときはステップＳＴ９に進む。また、マスストレージクラスでないときはステップＳＴ７に進む。
【００３９】
ステップＳＴ９で制御部５１は認識完了表示を行い、接続された外部機器が画像表示装置で対応可能なＵＳＢ機器であることを識別可能とする。例えば制御部５１は信号生成部を制御して、図３の（Ｃ）に示すように画像表示装置で対応可能なＵＳＢ機器が接続されたことを示す機器接続アイコンＰＩusbの表示やメッセージ表示ＰＭ2を行う。
【００４０】
ステップＳＴ６からステップＳＴ７に進むと、制御部５１はＵＳＢ機器がイメージクラスであるか否かを判別する。ここで、ステップＳＴ５で確認したクラスがイメージクラスであるとき、すなわちデバイスクラスコードが「００ｈ」でインタフェースクラスコードが「０６ｈ」であるときはステップＳＴ８に進む。また、イメージクラスでないときはステップＳＴ１２に進む。
【００４１】
ステップＳＴ８で制御部５１は、ベンダーＩＤが予め設定されているベンダーＩＤであるか否かを判別する。予め設定されているベンダーＩＤとしては、ＵＳＢ機器のクラスがマスストレージクラスに切換可能とされているＵＳＢ機器を提供しているベンダーのＩＤを用いるものとする。
【００４２】
制御部５１は、「DEVICE DESCRIPTOR」で示されたベンダーＩＤと予め設定されているベンダーＩＤが等しくないときはステップＳＴ９に進み、認識完了表示を行い、接続された外部機器が画像表示装置で対応可能なＵＳＢ機器であることを識別可能とする。なお、ステップＳＴ９では、機器接続アイコンＰＩusbの表示やメッセージ表示ＰＭ2を行うだけでなく、いずれのクラスで接続がなされたかを識別可能に表示するものとしてもよい。
【００４３】
制御部５１は、「DEVICE DESCRIPTOR」で示されたベンダーＩＤと予め設定されているベンダーＩＤが等しいときはステップＳＴ１０に進む。
【００４４】
ステップＳＴ１０で制御部５１は設定切換指示表示を行い、接続された外部機器の設定変更を促すメッセージ表示を行う。例えば、制御部５１は信号生成部３３を制御して図３の（Ｄ）に示すようにメッセージ表示ＰＭ3を行いステップＳＴ１１に進む。
【００４５】
ステップＳＴ１１で制御部５１は、外部機器の接続が解除されたか否かを判別する。ここで、制御部５１は外部機器が接続状態のままであるときはステップＳＴ１１に戻り、メッセージ表示を継続する。また、外部機器が非接続状態とされたとき例えばＵＳＢインタフェース部５３のＵＳＢコネクタ又は外部機器側のＵＳＢコネクタからＵＳＢケーブルが抜去されたときステップＳＴ１５に進み、制御部５１は指示表示を終了してステップＳＴ１に戻る。
【００４６】
したがって、ユーザは設定切換指示表示に基づき外部機器のクラス切換を行いマスストレージクラスに設定して接続し直すことにより、接続された外部機器が画像表示装置で対応可能なＵＳＢ機器であると識別されて、このＵＳＢ機器と画像表示装置をマスストレージクラスで接続することができる。
【００４７】
イメージクラスの接続（ＰＴＰプロトコルを用いた接続やピクトブリッジモードでの接続）は、ＵＳＢ機器に蓄積されている映像データを例えば単にプリンタで読み出して印刷したりする場合等に用いられるものであり、ＵＳＢ機器に対して映像データの記録再生等を可能とするマスストレージクラスの接続に比べて映像データを用いて行うことができる機能が少ない。ここで、イメージクラスにＵＳＢ機器が設定されていても、ステップＳＴ７，ステップＳＴ８およびステップＳＴ１０の処理よって、マスストレージクラスの接続を優先するように指示が行われることから、ユーザは指示に応じて外部機器をマスストレージクラスに切り換えることで、ＵＳＢ機器をより有効に活用できる。
【００４８】
ステップＳＴ７からステップＳＴ１２に進むと、制御部５１は外部機器がベンダー独自クラスであるか否かを判別する。ここで、ステップＳＴ５で確認したクラスがベンダー独自クラスであるときはステップＳＴ１３に進み、ベンダー独自クラスでないときはステップＳＴ１６に進む。
【００４９】
ステップＳＴ１３で制御部５１は設定確認指示表示を行い、接続された外部機器の設定確認を促すメッセージを表示させる。例えば、制御部５１は信号生成部３３を制御して図３の（Ｅ）に示すようにメッセージ表示ＰＭ4を行いステップＳＴ１４に進む。
【００５０】
ステップＳＴ１４で制御部５１２は、外部機器の接続が解除されたか否かを判別する。ここで、制御部５１は外部機器が非接続状態とされたときにはステップＳＴ１５に進む。また、外部機器が接続状態であるときはステップＳＴ１４に戻る。ステップＳＴ１５で制御部５１は、指示表示を終了してステップＳＴ１に戻る。
【００５１】
したがって、ユーザは設定確認指示に基づき外部機器のクラス切換を行って接続し直すことにより、例えばマスストレージクラスやイメージクラスで画像表示装置と画像表示装置で対応可能なＵＳＢ機器を接続することが可能となる。
【００５２】
ベンダー独自クラスは、ベンダーが独自に生成したクラスドライバーやアプリケーションのソフトウェアを用いるもので、画像表示装置は、このクラスドライバーやアプリケーションのソフトウェアを予めインストールしておかなければベンダー独自クラスに設定されている外部機器を、画像表示装置で対応可能なＵＳＢ機器として認識することができない。しかし、ベンダー独自クラスに外部機器が設定されていてもステップＳＴ１２，ステップＳＴ１３の処理よって、接続の確認を行うように指示が行われることから、ユーザは指示に応じて接続の確認を行い、マスストレージクラスやイメージクラスに切り換えることで、外部機器に蓄積されている映像データを読み出すことができる。
【００５３】
ステップＳＴ１２でイメージクラスでないと判別されてステップＳＴ１６に進むと、制御部５１は非対応通知表示を行い、接続された外部機器は画像表示装置で対応可能なＵＳＢ機器でないことを例えば図３の（Ｆ）に示すメッセージ表示ＰＭ5で通知する。
【００５４】
ステップＳＴ１７で制御部５１は、外部機器の接続が解除されたか否かを判別する。ここで、制御部５１は外部機器が非接続状態とされたときにはステップＳＴ１８に進む。また、外部機器が接続状態であるときはステップＳＴ１７に戻る。ステップＳＴ１８で制御部５１は、通知表示を終了してステップＳＴ１に戻る。
【００５５】
このように、外部機器がクラス切換可能であって設定されているクラスが予め指定されているクラスと異なるとき、画像表示装置では外部機器を予め指定されているクラスとするクラス切換を行わせるためのメッセージ表示が行われる。このため、クラス切換によって画像表示装置で対応可能なＵＳＢ機器となる外部機器が、対応しない機器と判別されてしまうことを防止することが可能となり、画像表示装置と外部機器とのＵＳＢ接続を容易かつ確実にユーザが行えるようになる。なお、図３では文字でメッセージ表示を行うものとしたが、図形等を用いてメッセージ表示を行うものとしてもよい。
【００５６】
また、外部機器がクラス切換可能とされておらず設定されているクラスが予め指定されているクラスと異なるとき、画像表示装置では対応しない機器であることを示すメッセージ表示が行われる。
【００５７】
すなわち、画像表示装置では、外部機器のクラスが予め指定されているクラスであるときは機器接続アイコンＰＩusbが表示されて、外部機器のクラスが予め指定されているクラスと異なるときはメッセージ表示が行われる。したがって、ユーザは対応可能である外部機器であるか対応しない外部機器であるかを容易に判別できる。また、上述のステップＳＴ３の処理を行うことで、外部機器の接続処理中であることを容易に判別できる。また、ステップＳＴ３の処理を行わないものとしても、上述のようにメッセージ表示ＰＭ2〜ＰＭ5の何れかを表示することで、機器接続アイコンＰＩusbの表示やメッセージ表示ＰＭ2〜ＰＭ5が行われていない場合、外部機器の接続処理中であることを容易に判別できる。このため、対応可能な外部機器であると判別したとき機器接続アイコンＰＩusbの表示だけを行う従来の画像表示装置のように、機器接続アイコンＰＩusbが表示されていないとき、外部機器の接続処理中であるか対応しない外部機器と判別されたのかユーザが判断できないという問題も解決できる。さらに、外部機器の接続処理中であることをユーザは容易に判別できるので、接続処理中に外部機器の取り外しを行ってしまうことも防止できる。
【図面の簡単な説明】
【００５８】
【図１】テレビジョン装置の構成を示す図である。
【図２】外部機器が接続されたときの動作を示す図である。
【図３】表示画面を示す図である。
【図４】DEVICE DESCRIPTORを示す図である。
【図５】INTERFACE DESCRIPTORを示す図である。
【図６】クラス仕様とクラスコードを示す図である。
【符号の説明】
【００５９】
１０・・・テレビジョン装置、１１・・・衛星放送用アンテナ、１２・・・衛星放送用選局／復調部、１３・・・地上放送用アンテナ、１４・・・地上放送用選局／復調部、２１・・・デマルチプレクサ、２２・・・デコーダ部、２３・・・外部入力端子、３１・・・映像切換部、３２・・・信号処理部、３３・・・信号生成部、３４・・・合成処理部、３５・・・映像出力処理部、３６・・・表示部、４１・・・音声切換部、４２・・・音声出力処理部、４３・・・音声出力部、５１・・・制御部、５２・・・ユーザインタフェース部、５３・・・ＵＳＢインタフェース部、５４・・・バス
【図１】
2008282160.tif 000003
【図２】
2008282160.tif 000004
【図３】
2008282160.tif 000005
【図４】
2008282160.tif 000006
【図５】
2008282160.tif 000007
【図６】
2008282160.tif 000008
【手続補正書】
【提出日】平成20年4月24日(2008.4.24)
【手続補正１】
【補正対象書類名】明細書
【補正対象項目名】０００６
【補正方法】変更
【補正の内容】
【０００６】
ところで、画像表示装置にＵＳＢインタフェースを設けて外部機器を接続した場合、画像表示装置は、接続された外部機器から取得したデバイス情報に基づきＵＳＢ接続が可能な外部機器であると判別したとき、ＵＳＢ接続が可能な外部機器が接続されていることを示す例えばアイコン（以下「機器接続アイコン」という）を画面上に設ける表示することが行われている。また、ＵＳＢ接続が可能な外部機器では、クラス切換が可能な機器も提供されている。ここで、外部機器が画像表示装置で対応することのできないクラスに設定されている場合、この外部機器がクラス切換可能であっても、ＵＳＢ接続が可能な機器と識別されることがなく、画面上に機器接続アイコン等が表示されない。したがって、接続した外部機器は画像表示装置に対応していない機器であるとユーザに判断されてしまい、この外部機器に蓄積されている映像データを読み出して画像表示装置の画面上に蓄積されていた画像を表示できなくなってしまう。
【手続補正２】
【補正対象書類名】明細書
【補正対象項目名】００１７
【補正方法】変更
【補正の内容】
【００１７】
映像切換部３１には、外部入力端子２３が接続されており、この外部入力端子２３を介して外部機器からコンポジット方式やコンポーネント方式、ＨＤＭＩ(High Definition Multimedia Interface)方式、ＤＶＩ(Digital Visual Interface)方式等の映像信号ＶＳcの入力を行うことができるようになされている。また、映像切換部３１には信号処理部３２が接続されており、信号処理部３２に供給する映像信号を、デコーダ部２２から供給された映像信号ＶＳa、地上放送用選局／復調部１４からの映像信号ＶＳb、外部入力端子２３を介して供給された映像信号ＶＳc、あるいは後述するようにＵＳＢ機器から読み出された映像データＶＳusbのいずれかに切り換える。また、映像切換部３１は、異なる方式で映像信号が供給されたとき方式変換処理を行い、信号処理部３２に供給する映像信号ＶＳdとして、例えば輝度信号と色差信号を供給する。
【手続補正３】
【補正対象書類名】明細書
【補正対象項目名】００５７
【補正方法】変更
【補正の内容】
【００５７】
すなわち、画像表示装置では、外部機器のクラスが予め指定されているクラスであるときは機器接続アイコンＰＩusbが表示されて、外部機器のクラスが予め指定されているクラスと異なるときはメッセージ表示が行われる。したがって、ユーザは対応可能である外部機器であるか対応しない外部機器であるかを容易に判別できる。また、上述のステップＳＴ３の処理を行うことで、外部機器の接続処理中であることを容易に判別できる。また、ステップＳＴ３の処理を行わないものとしても、上述のようにメッセージ表示ＰＭ2〜ＰＭ5の何れかを表示することで、外部機器の接続処理中であることを容易に判別できる。このため、対応可能な外部機器であると判別したとき機器接続アイコンＰＩusbの表示だけを行う従来の画像表示装置のように、機器接続アイコンＰＩusbが表示されていないとき、外部機器の接続処理中であるか対応しない外部機器と判別されたのかユーザが判断できないという問題も解決できる。さらに、外部機器の接続処理中であることをユーザは容易に判別できるので、接続処理中に外部機器の取り外しを行ってしまうことも防止できる。
【手続補正４】
【補正対象書類名】図面
【補正対象項目名】図１
【補正方法】変更
【補正の内容】
【図１】
2008282160.tif 000009